(57)【要約】【課題】画像表示領域の端部と素子基板の端部との間で光硬化性のシール材に沿って配線を延在させた場合でも、シール材を確実に光硬化させることができるとともに、画像表示領域の外側でシール材および配線が占有する領域の幅寸法を縮小することのできる電気光学装置、および当該電気光学装置を備えた電子機器を提供すること。【解決手段】電気光学装置１００では、素子基板１０の辺１０ｆと画像表示領域１０ａの端部とによって挟まれた領域に設けられた第１配線１１および第２配線１６のうち、配線幅寸法が広い第２配線１６は、シール材８０の内縁８１と画像表示領域１０ａの端部との間に設けられている。また、配線幅寸法が狭い第１配線１１は、シール材８０と重なる領域に設けられているが、シール材８０と重なる領域における第１配線１１の配線密度は、４０％から６０％である。【選択図】図３
2013080036.tif 000002
【特許請求の範囲】
【請求項１】
複数の画素電極が一方面側に配列された透光性の素子基板と、
該素子基板の前記一方面側に対向配置された透光性の対向基板と、
前記複数の画素電極が配列された画像表示領域を外側で囲むように設けられて前記対向基板と前記素子基板とを貼り合わせる光硬化性のシール材と、
を有し、
前記素子基板は、前記一方面側で当該素子基板の端部と前記画像表示領域の端部とによって挟まれた領域に、前記シール材に沿って延在する部分を備えた第１配線と、該第１配線より広い配線幅寸法をもって前記シール材に沿って延在する部分を備えた第２配線と、を備え、
前記第１配線の前記シール材に沿って延在する部分は、前記シール材に重なる領域に設けられ、
前記第２配線の前記シール材に沿って延在する部分は、前記シール材の内縁と前記画像表示領域の端部との間に設けられていることを特徴とする電気光学装置。
【請求項２】
前記素子基板は、前記一方面側で当該素子基板の端部と前記画像表示領域の端部とによって挟まれた領域に設けられた駆動回路を含み、
前記第１配線は、前記駆動回路に信号を供給する信号線であり、
前記第２配線は、前記駆動回路に電源電位を供給する電源線であることを特徴とする請求項１に記載の電気光学装置。
【請求項３】
前記駆動回路は、シフトレジスタと、該シフトレジスタと前記画像表示領域の端部との間で当該シフトレジスタから出力された信号を走査信号として出力する出力回路と、を備え、
前記電源線の前記シール材に沿って延在する部分は、前記シフトレジスタと前記出力回路との間に設けられていることを特徴とする請求項２に記載の電気光学装置。
【請求項４】
前記シール材と重なる領域における前記第１配線の配線密度は、４０％から６０％であることを特徴とする請求項１乃至３の何れか一項に記載の電気光学装置。
【請求項５】
前記シール材と重なる領域には、前記第１配線と重ならない領域に配線密度が４０％から６０％の第３配線が設けられていることを特徴とする請求項４に記載の電気光学装置。
【請求項６】
前記素子基板および前記画像表示領域は四角形であり、
前記素子基板の４つの辺のうち、一部の辺に沿って複数の端子が設けられ、
前記第１配線および前記第２配線は、前記複数の端子のうちのいずれかから延在して、前記素子基板の４つの辺のうち、前記複数の端子が設けられた辺以外の全ての辺に沿う領域で前記シール材に沿って延在していることを特徴とする請求項１乃至５の何れか一項に記載の電気光学装置。
【請求項７】
前記素子基板と前記対向基板の間には、前記シール材で囲まれた領域に液晶層が設けられていることを特徴とする請求項１乃至５の何れか一項に記載の電気光学装置。
【請求項８】
請求項１乃至７の何れか一項に記載の電気光学装置を備えていることを特徴とする電子機器。
【発明の詳細な説明】
【技術分野】
【０００１】
本発明は、光硬化性のシール材によって素子基板と対向基板とが貼り合わされた電気光学装置、および当該電気光学装置を備えた電子機器に関するものである。
【背景技術】
【０００２】
液晶装置等の電気光学装置は、投射型表示装置のライトバルブや直視型の表示装置として広く採用されている。かかる電気光学装置のうち、例えば、液晶装置では、画素電極が設けられた透光性の素子基板と、画素電極に対向する共通電極が設けられた透光性の対向基板とが画像表示領域の外側でシール材により貼り合わされ、シール材で囲まれた領域内に液晶層が設けられている。かかる構成の液晶装置を製造する際、素子基板あるいは対向基板において画像表示領域の外側に光硬化性のシール材を塗布した後、素子基板の側からシール材に光を照射する一方、対向基板の側からもシール材に光を照射してシール材を硬化させる。その際、シール材と重なる領域に配線が高い密度で存在していると、シール材への光の照射が妨げられる結果、シール材を十分に硬化させることができない。
【０００３】
一方、シール材の外縁より外側に配線を設けた構成や、シール材の内縁より内側に配線を設けた構成が提案されている（特許文献１参照）。
【先行技術文献】
【特許文献】
【０００４】
【特許文献１】特開２００６−２６７９３７号公報
【発明の概要】
【発明が解決しようとする課題】
【０００５】
しかしながら、特許文献１に記載の構成のように、配線をシール材の外縁より外側やシール材の内縁より内側に設けた場合、シール材に配線が重ならないことから、素子基板側からシール材に光を照射する際、光が配線で遮られない一方、シール材および配線が占有する領域の幅寸法が大になってしまうという問題点がある。その結果、画像表示領域の外側に位置する非表示領域の幅寸法が大となってしまうため、画像表示領域のサイズを一定にすれば液晶装置が大型化する一方、液晶装置のサイズを一定にすれば画像表示領域が狭くなってしまい、好ましくない。
【０００６】
以上の問題点に鑑みて、本発明の課題は、画像表示領域の端部と素子基板の端部との間で光硬化性のシール材に沿って配線を延在させた場合でも、シール材を確実に光硬化させることができるとともに、画像表示領域の外側でシール材および配線が占有する領域の幅寸法を縮小することのできる電気光学装置、および当該電気光学装置を備えた電子機器を提供することにある。
【課題を解決するための手段】
【０００７】
上記課題を解決するために、本発明に係る電気光学装置は、複数の画素電極が一方面側に配列された透光性の素子基板と、該素子基板の前記一方面側に対向配置された透光性の対向基板と、前記複数の画素電極が配列された画像表示領域を外側で囲むように設けられて前記対向基板と前記素子基板とを貼り合わせる光硬化性のシール材と、を有し、前記素子基板は、前記一方面側で当該素子基板の端部と前記画像表示領域の端部とによって挟まれた領域に、駆動回路と、前記シール材に沿って延在する部分を備えた第１配線と、該第１配線より広い配線幅寸法をもって前記シール材に沿って延在する部分を備えた第２配線と、を備え、前記第１配線の前記シール材に沿って延在する部分は、前記シール材に重なる領域に設けられ、前記第２配線の前記シール材に沿って延在する部分は、前記シール材の内縁と前記画像表示領域の端部との間に設けられていることを特徴とする。
【０００８】
本発明では、素子基板の端部と画像表示領域の端部とによって挟まれた領域に設けられた第１配線および第２配線のうち、配線幅寸法が広い方の第２配線は、シール材の内縁と画像表示領域の端部との間に設けられているため、シール材を光硬化させるために素子基板側から光を照射した際、光が第２配線で遮られない。また、第１配線は、シール材と重なる領域に設けられているが、第１配線は第２配線より配線幅寸法が狭いため、素子基板側から光を照射した際、十分な光がシール材に届く。それ故、短い照射時間でシール材をより確実に硬化させることができる。また、配線幅寸法が狭い第１配線はシール材と重なる領域に設けられているため、第１配線および第２配線のいずれをもシール材の内縁より内側、あるいはシール材の外縁より外側に設けた場合と比較して、画像表示領域の外側でシール材および配線が占有する領域の幅寸法を縮小することができる。
【０００９】
本発明は、前記第１配線が、前記駆動回路に信号を供給する信号線であり、前記第２配線が、前記駆動回路に電源電位を供給する電源線である場合に適用すると効果的である。かかる構成によれば、配線幅寸法が広い電源線を設けることができるので、電源線の配線抵抗を低減することができる。
【００１０】
本発明において、前記駆動回路は、シフトレジスタと、該シフトレジスタと前記画像表示領域の端部との間で当該シフトレジスタから出力された信号を走査信号として出力する出力回路と、を備え、前記電源線の前記シール材に沿って延在する部分は、前記シフトレジスタと前記出力回路との間に設けられている構成を採用することができる。
【００１１】
本発明において、前記シール材と重なる領域における前記第１配線の配線密度は、４０％から６０％であることが好ましい。かかる構成によれば、シール材と重なる領域に第１配線を設けた場合でも、素子基板側から光を照射した際、十分な光がシール材に届く。それ故、シール材を確実に硬化させることができる。
【００１２】
本発明において、前記シール材と重なる領域には、前記第１配線と重ならない領域に配線密度が４０％から６０％の第３配線が設けられていることが好ましい。かかる構成によれば、シール材と重なる領域に第３配線を設けた場合でも、素子基板側から光を照射した際、十分な光がシール材に届く。また、シール材と重なる領域では、第１配線が設けられていない領域でも、配線密度が４０％から６０％になる。従って、シール材に素子基板と対向基板との基板間隔を制御するギャップ材を含有させた場合でも、配線密度に起因する基板間隔のばらつきを緩和することができる。
【００１３】
本発明において、前記素子基板および前記画像表示領域は四角形であり、前記素子基板の４つの辺のうち、一部の辺に沿って複数の端子が設けられ、前記第１配線および前記第２配線は、前記複数の端子のうちのいずれかから延在して、前記素子基板の４つの辺のうち、前記複数の端子が設けられた辺以外の全ての辺に沿って延在している構成を採用することができる。かかる構成によれば、素子基板の複数の辺に沿う広い範囲にわたって、シール材を確実に光硬化させることができるとともに、画像表示領域の外側でシール材、第１配線および第２配線が占有する領域の幅寸法を縮小することができる。
【００１４】
本発明において、前記素子基板と前記対向基板の間には、前記シール材で囲まれた領域に液晶層が設けられている構成を採用することができる。
【００１５】
本発明に係る電気光学装置は、携帯電話機やモバイルコンピューター、投射型表示装置等の電子機器に用いることができる。これらの電子機器のうち、投射型表示装置は、電気光学装置（液晶装置）に光を供給するための光源部と、前記電気光学装置によって光変調された光を投射する投射光学系とを備えている。
【図面の簡単な説明】
【００１６】
【図１】本発明を適用した電気光学装置（液晶装置）の電気的構成を示す説明図である。
【図２】本発明を適用した電気光学装置に用いた液晶パネルの説明図である。
【図３】本発明の実施の形態１に係る電気光学装置の素子基板に形成した配線（第１配線および第２配線）等を拡大して示す説明図である。
【図４】本発明の実施の形態２に係る電気光学装置の素子基板に形成した配線（第１配線および第２配線）等を拡大して示す説明図である。
【図５】本発明を適用した投射型表示装置（電子機器）および光学ユニットの概略構成図である。
【発明を実施するための形態】
【００１７】
以下、本発明の実施の形態として、代表的な電気光学装置である液晶装置を説明する。なお、以下の説明で参照する図においては、各層や各部材を図面上で認識可能な程度の大きさとするため、各層や各部材毎に縮尺を異ならしめてある。また、以下の説明で参照する図においては、走査線、データ線、信号線等の配線等については、それらの数を少なく表してある。
【００１８】
［実施の形態１］
（電気光学装置の全体構成）
図１は、本発明を適用した電気光学装置（液晶装置）の電気的構成を示す説明図であり、図１（ａ）、（ｂ）は、本発明を適用した電気光学装置全体の電気的構成を示すブロック図、および画素の構成を示す等価回路図である。なお、図１において、シール材については一点鎖線およびグレー領域として表してある。
【００１９】
図１に示す電気光学装置１００は、液晶装置であり、液晶パネル１００ｐを有している。液晶パネル１００ｐは、その中央領域に複数の画素１００ａがマトリクス状に配列された画像表示領域１０ａを備えている。液晶パネル１００ｐにおいて、後述する素子基板１０では、画像表示領域１０ａの内側で複数本のデータ線６ａおよび複数本の走査線３ａが縦横に延びており、それらの交点に対応する位置に画素１００ａが構成されている。複数の画素１００ａの各々には、スイッチング素子としての電界効果型トランジスター３０、および画素電極９ａが形成されている。電界効果型トランジスター３０のソースにはデータ線６ａが電気的に接続され、電界効果型トランジスター３０のゲートには走査線３ａが電気的に接続され、電界効果型トランジスター３０のドレインには、画素電極９ａが電気的に接続されている。このようにして、複数の画素１００ａの各々では、電界効果型トランジスター３０および画素電極９ａが対応して設けられている。
【００２０】
素子基板１０において、画像表示領域１０ａより外側の非表示領域１０ｕには、走査線駆動回路６０、データ線駆動回路７０、検査回路やプリチャージ回路等の周辺回路８４および静電保護回路８５等が構成されている。データ線駆動回路７０は複数本のデータ線６ａの一端に電気的に接続しており、周辺回路８４は、複数本のデータ線６ａの他端に電気的に接続している。走査線駆動回路６０は、複数本の走査線３ａに電気的に接続している。走査線駆動回路６０は、例えば、シフトレジスタ６１および出力回路６２を備えており、シフトレジスタ６１に入力されたクロック信号、クロック反転信号、およびスタートパルスに基づいて走査信号を生成し、複数本の走査線３ａの各々に順次供給する。
【００２１】
データ線駆動回路７０は、例えば、シフトレジスタ７１およびサンプルホールド回路７４を備えており、サンプルホールド回路７４は、複数本のビデオ信号線７５、第１ラッチ回路７２および第２ラッチ回路７３を備えている。データ線駆動回路７０は、シフトレジスタ７１に入力されたクロック信号、クロック反転信号、およびスタートパルスに基づいて、ビデオ信号線７５から供給されるビデオ信号を所定のタイミングで第１ラッチ回路７２に保持した後、第２ラッチ回路７３に転送し、ラッチ転送信号に基づいて、複数本のデータ線６ａの各々に画像信号を出力する。
【００２２】
各画素１００ａにおいて、画素電極９ａは、後述する対向基板に形成された共通電極と液晶を介して対向し、液晶容量５ａを構成している。また、各画素１００ａには、液晶容量５ａで保持される画像信号の変動を防ぐために、液晶容量５ａと並列に保持容量４０が付加されている。本形態では、保持容量４０を構成するために、複数の画素１００ａに跨って走査線３ａと並行して延びた容量線３ｂが形成され、かかる容量線３ｂには電位Ｖcomが印加されている。なお、電位Ｖcomとしては、後述する共通電極に印加される共通電位と同一電位を用いることができる。
【００２３】
（液晶パネル１００ｐの具体的構成例）
図２は、本発明を適用した電気光学装置１００に用いた液晶パネル１００ｐの説明図であり、図２（ａ）、（ｂ）は各々、液晶パネル１００ｐを各構成要素と共に対向基板の側から見た平面図、およびそのＨ−Ｈ′断面図である。
【００２４】
図２（ａ）、（ｂ）に示すように、液晶パネル１００ｐでは、素子基板１０と対向基板２０とが所定の隙間を介してシール材８０によって貼り合わされており、シール材８０は対向基板２０の外縁に沿うように枠状に設けられている。素子基板１０および対向基板２０は、石英基板や耐熱ガラス基板等の透光性基板からなる。
【００２５】
シール材８０は、光硬化性樹脂からなる接着剤であり、両基板間の距離を所定値とするためのグラスファイバーあるいはガラスビーズ等のギャップ材が配合されている。素子基板１０と対向基板２０との間には、シール材８０で囲まれた領域内に液晶層５が保持されている。
【００２６】
かかる電気光学装置１００を製造する際には、シール材８０を間に挟んで素子基板１０と対向基板２０とを重ねた後、素子基板１０の側からシール材８０に光を照射するとともに、対向基板２０の側からもシール材８０に光を照射して、シール材８０を硬化させる。シール材８０には途切れ部分からなる注入口８８が形成されており、注入口８８からシール材８０で囲まれた領域内に液晶材料を真空注入した後、注入口８８を封止材８７で封止することにより、液晶層５をシール材８０の内側に保持する。
【００２７】
なお、素子基板１０に枠状に塗布したシール材８０を半硬化させた後、シール材８０で囲まれた領域内に液晶材料を滴下し、その後、対向基板２０を重ねる場合もある。この場合、シール材８０には注入口８８を設ける必要がなく、それ故、封止材８７は不要となる。かかる方式を採用した場合でも、シール材８０を間に挟んで素子基板１０と対向基板２０とを重ねた状態で、素子基板１０の側からシール材８０に光を照射するとともに、対向基板２０の側からもシール材８０に光を照射して、シール材８０を完全硬化させる。
【００２８】
本形態の液晶パネル１００ｐにおいて、素子基板１０は四角形であり、４つの辺１０ｅ、１０ｆ、１０ｇ、１０ｈ（端部）を備えている。また、対向基板２０も、素子基板１０と同様、４つの辺２０ｅ、２０ｆ、２０ｇ、２０ｈ（端部）を備えている。液晶パネル１００ｐの略中央には、図１を参照して説明した画像表示領域１０ａが四角形の領域として設けられており、画像表示領域１０ａの端部と素子基板１０の端部（辺１０ｅ、１０ｆ、１０ｇ、１０ｈ）とに挟まれた領域は、矩形枠状の非表示領域１０ｕになっている。かかる形状に対応して、非表示領域１０ｕにおいて、シール材８０も略四角形に設けられ、シール材８０の内縁８１と画像表示領域１０ａの端部との間には、略四角形の周辺領域１０ｂが額縁状に設けられている。
【００２９】
素子基板１０の一方面１０ｓおよび他方面１０ｔのうち、対向基板２０と対向する一方面１０ｓ側では、画像表示領域１０ａに、図１を参照して説明した電界効果型トランジスター３０、および電界効果型トランジスター３０に電気的に接続する画素電極９ａがマトリクス状に形成されており、かかる画素電極９ａの上層側には第１配向膜１４が形成されている。また、素子基板１０の一方面１０ｓ側において、周辺領域１０ｂには、画素電極９ａと同時形成されたダミー画素電極９ｂが形成されている。ダミー画素電極９ｂについては、ダミーの電界効果型トランジスターと電気的に接続された構成、ダミーの電界効果型トランジスターが設けられずに配線に直接、電気的に接続された構成、あるいは電位が印加されていないフロート状態にある構成が採用される。かかるダミー画素電極９ｂは、素子基板１０において第１配向膜１４が形成される面を研磨により平坦化する際、画像表示領域１０ａと周辺領域１０ｂとの高さ位置を圧縮し、第１配向膜１４が形成される面を平坦面にするのに寄与する。また、ダミー画素電極９ｂを所定の電位に設定すれば、画像表示領域１０ａの外周側端部での液晶分子の配向の乱れを防止することができる。
【００３０】
ここで、素子基板１０は、対向基板２０よりサイズが大きい。このため、素子基板１０の辺１０ｅが位置する側は、対向基板２０の辺２０ｅから張り出しており、かかる張出領域（画像表示領域１０ａの外側／画像表示領域１０ａの端部と素子基板１０の辺１０ｅとの間）の一方面１０ｓ側には、素子基板１０の辺１０ｅに沿うようにデータ線駆動回路７０および複数の端子５０が形成されている。また、素子基板１０の一方面１０ｓ側において、辺１０ｅに隣接する他の辺１０ｆ、１０ｈに沿っては走査線駆動回路６０が形成されており、素子基板１０の辺１０ｇに沿っては周辺回路８４が形成されている。端子５０には、フレキシブル配線基板（図示せず）が接続されており、素子基板１０には、フレキシブル配線基板を介して各種電位や各種信号が入力される。
【００３１】
対向基板２０の一方面２０ｓおよび他方面２０ｔのうち、素子基板１０と対向する一方面２０ｓ側には共通電極２１が形成されており、共通電極２１の上層には第２配向膜２４が形成されている。共通電極２１は、対向基板２０の略全面あるいは複数の帯状電極として複数の画素１００ａに跨って形成されている。本形態において、共通電極２１は、対向基板２０の略全面に形成されている。
【００３２】
また、対向基板２０の一方面２０ｓ側には、共通電極２１の下層側に遮光層２９が形成されている。本形態において、遮光層２９は、画像表示領域１０ａの外周縁に沿って延在する額縁状に形成されており、見切りとして機能する。このため、遮光層２９の内縁によって、画像表示領域１０ａの外縁が規定されている。遮光層２９の外縁は、シール材８０の内縁８１との間に隙間を隔てた位置にあり、遮光層２９とシール材８０とは重なっていない。なお、対向基板２０において、遮光層２９は、隣り合う画素電極９ａにより挟まれた画素間領域と重なる領域にブラックマトリクス部２９ｂとしても形成されている。
【００３３】
このように構成した液晶パネル１００ｐにおいて、素子基板１０の一方面１０ｓ側には、シール材８０より外側で対向基板２０の４つの角部分と重なる４個所には、素子基板１０と対向基板２０との間で電気的導通をとるための基板間導通用電極１０９が形成されている。基板間導通用電極１０９には、導電粒子を含んだ基板間導通材が配置されており、対向基板２０の共通電極２１は、基板間導通材および基板間導通用電極１０９を介して、素子基板１０側に電気的に接続されている。このため、共通電極２１は、素子基板１０の側から共通電位Ｖcomが印加されている。
【００３４】
シール材８０は、略同一の幅寸法をもって対向基板２０の外周縁に沿って設けられている。このため、シール材８０は、略四角形である。但し、シール材８０は、対向基板２０の角部分と重なる領域では基板間導通用電極１０９を避けて内側を通るように設けられており、シール材８０の角部分は略円弧状である。
【００３５】
かかる構成の電気光学装置１００において、画素電極９ａおよび共通電極２１をＩＴＯ（Indium Tin Oxide）やＩＺＯ（Indium Zinc Oxide）等の透光性の導電膜により形成すると、透過型の液晶装置を構成することができる。これに対して、共通電極２１をＩＴＯやＩＺＯ等の透光性導電膜により形成し、画素電極９ａをアルミニウム等の反射性導電膜により形成すると、反射型の液晶装置を構成することができる。電気光学装置１００が反射型である場合、対向基板２０の側から入射した光が素子基板１０の側の基板で反射して出射される間に変調されて画像を表示する。電気光学装置１００が透過型である場合、素子基板１０および対向基板２０のうち、一方側の基板から入射した光が他方側の基板を透過して出射される間に変調されて画像を表示する。
【００３６】
電気光学装置１００は、モバイルコンピューター、携帯電話機等といった電子機器のカラー表示装置として用いることができ、この場合、対向基板２０には、カラーフィルター（図示せず）や保護膜が形成される。また、電気光学装置１００では、使用する液晶層５の種類や、ノーマリホワイトモード／ノーマリブラックモードの別に応じて、位相差フィルムや偏光板等が液晶パネル１００ｐに対して所定の向きに配置される。さらに、電気光学装置１００は、後述する投射型表示装置（液晶プロジェクター／電子機器）において、ＲＧＢ用のライトバルブとして用いることができる。この場合、ＲＧＢ用の各電気光学装置１００の各々には、ＲＧＢ色分解用のダイクロイックミラーを介して分解された各色の光が投射光として各々入射されることになるので、カラーフィルターは形成されない。
【００３７】
（配線等の構成）
図３は、本発明の実施の形態１に係る電気光学装置１００の素子基板１０に形成した配線（第１配線および第２配線）等を拡大して示す説明図であり、素子基板１０の辺１０ｆ側を拡大して示してある。なお、図３では、画素１００ａについては数を減らして示してあり、ダミー画素電極９ｂや容量線３ｂの図示を省略してあり、端子５０から走査線駆動回路６０に向かう信号線については２本のみを示してある。なお、図３において、シール材については一点鎖線およびグレー領域として表してあり、配線については右上がりの斜線領域として表してあり、回路については右下がりの斜線領域として表してある。
【００３８】
図１、図２および図３に示すように、素子基板１０の一方面１０ｓ側には、素子基板１０の辺１０ｅに沿って複数の端子５０が設けられており、かかる複数の端子５０からは、以下に説明する配線が延在している。
【００３９】
まず、素子基板１０の辺１０ｆと画像表示領域１０ａの端部とによって挟まれた領域には、走査線駆動回路６０が形成されているとともに、第１配線１１、第２配線１６、および共通電位線１５が形成されている。ここで、第１配線１１、第２配線１６、および共通電位線１５は、金属層や導電性シリコン化合物等から形成されており、遮光性を有している。また、走査線駆動回路６０や、図１を参照して説明したデータ線駆動回路７０のシフトレジスタ７１やサンプルホールド回路７４、周辺回路８４および静電保護回路８５は、第１配線１１の形成領域と比較すると配線密度が高い。
【００４０】
共通電位線１５は、素子基板１０の辺１０ｅに設けた端子５０のうち、共通電位用の端子から素子基板１０の辺１０ｆに向けて延在した後、素子基板１０の辺１０ｆと画像表示領域１０ａの端部との間においてシール材８０に沿って延在している。ここで、共通電位線１５は、素子基板１０の辺１０ｆ、１０ｇ、１０ｈに沿って延在し、複数の基板間導通用電極１０９の各々に導通している。このため、共通電位線１５は、複数の基板間導通用電極１０９の各々に共通電位Ｖcomを供給可能である。
【００４１】
第１配線１１は、素子基板１０の辺１０ｅに設けた端子５０のうち、信号用の端子から素子基板１０の辺１０ｆに向けて延在した後、素子基板１０の辺１０ｆと画像表示領域１０ａの端部との間においてシール材８０に沿って延在している。本形態において、第１配線１１は、走査線駆動回路６０に信号を供給する信号線であり、例えば、クロック信号ＣＬＹを供給する信号線１２、およびクロック反転信号ＣＢＹを供給する信号線１３等である。
【００４２】
第２配線１６は、素子基板１０の辺１０ｅに設けた端子５０のうち、電源用の端子から素子基板１０の辺１０ｆに向けて延在した後、素子基板１０の辺１０ｆと画像表示領域１０ａの端部との間においてシール材８０に沿って延在している。本形態において、第２配線１６は、走査線駆動回路６０に電源電位を供給する電源線であり、例えば、高電位Ｖｄｄ（電源電位）を供給する電源線１７、および低電位Ｖｓｓ（電源電位）を供給する電源線１８等からなる。
【００４３】
第１配線１１および第２配線１６の配線幅寸法は、以下の関係
第１配線１１（信号線１２、１３）＜第２配線１６（電源線１７、１８）
にあり、第２配線１６（電源線１７、１８）は、第１配線１１（信号線１２、１３）に比して配線幅寸法が大である。なお、本形態において、共通電位線１５は、第１配線１１（信号線１２、１３）と略同一の配線幅寸法を有している。
【００４４】
このように構成した電気光学装置１００において、走査線駆動回路６０は、シール材８０の内縁８１と画像表示領域１０ａの端部との間に設けられている。ここで、走査線駆動回路６０は、シフトレジスタ６１と、シフトレジスタ６１から出力された信号を走査信号として出力するバッファ回路等の出力回路６２とを備えており、本形態において、シフトレジスタ６１は、シール材８０の内縁８１と画像表示領域１０ａの端部との間のうち、シール材８０が位置する側に設けられ、出力回路６２は、シール材８０の内縁８１と画像表示領域１０ａの端部との間のうち、画像表示領域１０ａが位置する側に設けられている。
【００４５】
また、本形態の電気光学装置１００において、第１配線１１のシール材８０に沿って延在する部分は、シール材８０に重なる領域に設けられており、シール材８０と重なる領域における第１配線１１の配線密度は、例えば、４０％から６０％である。より具体的には、第１配線１１（信号線１２、１３）の配線幅寸法とスペース幅寸法とは等しく、配線密度は５０％である。
【００４６】
第２配線１６のシール材８０に沿って延在する部分は、シール材８０の内縁８１と画像表示領域１０ａの端部との間に設けられている。より具体的には、第２配線１６においてシール材８０に沿って延在する部分は、シフトレジスタ６１と出力回路６２との間に設けられている。
【００４７】
共通電位線１５のシール材８０に沿って延在する部分は、シール材８０と重なる領域に設けられており、本形態において、共通電位線１５は、第１配線１１より外側（第１配線１１と素子基板１０の辺１０ｆとの間）に設けられている。
【００４８】
このため、素子基板１０の辺１０ｆが位置する側でシール材８０と重なっているのは、共通電位線１５と、第１配線１１と、シール材８０の延在方向に対して交差する方向に向けて延在して第１配線１１と走査線駆動回路６０とを電気的に接続する配線６８のみである。
【００４９】
また、第１配線１１、第２配線１６および共通電位線１５は、素子基板１０の辺１０ｆに加えて、辺１０ｇ、１０ｈに沿う領域でも延在している。このため、第１配線１１、第２配線１６および共通電位線１５は、素子基板１０の４つの辺１０ｅ、１０ｆ、１０ｇ、１０ｈのうち、端子５０が設けられた辺１０ｅ以外の全ての辺１０ｆ、１０ｇ、１０ｈに沿う領域でシール材８０に沿って延在している。
【００５０】
素子基板１０において辺１０ｈが位置する側の構成は、辺１０ｆが位置する側と同様、素子基板１０の辺１０ｈと画像表示領域１０ａの端部とによって挟まれた領域には、走査線駆動回路６０が形成されているとともに、第１配線１１、第２配線１６、および共通電位線１５が形成されている。また、素子基板１０において辺１０ｈが位置する側でも、辺１０ｆが位置する側と同様、第１配線１１のシール材８０に沿って延在する部分は、シール材８０に重なる領域に設けられており、第２配線１６のシール材８０に沿って延在する部分は、シール材８０の内縁８１と画像表示領域１０ａの端部との間に設けられている。また、共通電位線１５は、第１配線１１と素子基板１０の辺１０ｈとの間でシール材８０に沿って延在している。
【００５１】
素子基板１０の辺１０ｇが位置する側では、周辺回路８４が形成されており、走査線駆動回路６０は形成されていない。但し、素子基板１０において辺１０ｇが位置する側でも、辺１０ｆが位置する側と同様、第１配線１１のシール材８０に沿って延在する部分は、シール材８０に重なる領域に設けられており、第２配線１６のシール材８０に沿って延在する部分は、シール材８０の内縁８１と画像表示領域１０ａの端部との間に設けられている。また、共通電位線１５は、第１配線１１と素子基板１０の辺１０ｇとの間でシール材８０に沿って延在している。なお、周辺回路８４は、第２配線１６と画像表示領域１０ａとの間に設けられている。このため、データ線６ａは、シール材８０と重ならずに、周辺回路８４まで延在している。
【００５２】
素子基板１０の辺１０ｅが位置する側において、データ線駆動回路７０のシフトレジスタ７１は、シール材８０と素子基板１０の辺１０ｅとの間に形成されており、シール材８０と重なっていない。また、データ線駆動回路７０のサンプルホールド回路７４は、シール材８０の内縁８１と画像表示領域１０ａの端部との間に形成されており、シール材８０と重なっていない。このため、素子基板１０の辺１０ｅが位置する側でシール材８０と重なっているのは、シール材８０に交差する方向に延在する配線７８のみである。
【００５３】
このように構成した素子基板１０において、配線密度は、以下に示す関係
信号線１２、１３形成領域＜シフトレジスタ６１形成領域＜電源線１７、１８形成領域
にあり、レイアウトもこの順番になっている。すなわち、本形態では、信号線１２、１３はシール材８０と重なるように配置し、電源線１７、１８はシール材８０と重ならないように配置してある。また、シフトレジスタ６１の形成領域は、配線密度が比較的低いため、シール材８０と重なっていてもシール材８０を硬化させることは可能である。また、シフトレジスタ６１は電源線１７、１８と接続する必要がないので、電源線１７、１８より外側に配置することが可能である。それ故、本形態では、シール材８０から離間する位置からシール材８０に向かって、配線密度が低下する構成が採用されている。
【００５４】
図１および図２に示すように、素子基板１０の辺１０ｅが位置する側には静電保護回路８５が設けられているが、静電保護回路８５は、シール材８０と素子基板１０の辺１０ｅとの間に形成されており、シール材８０と重なっていない。
【００５５】
また、第２配線１６の静電保護回路８５に向けて延在している部分、および第２配線１６の端子５０から延在している部分は、シール材８０と重なっているが、シール材８０と交差する方向に延在しているため、重なり面積が狭い。それ故、シール材８０のうち、第２配線１６と重なっている部分は、光の散乱効果等によって硬化するので、大きな支障が発生しない。
【００５６】
（本形態の主な効果）
以上説明したように、本形態の電気光学装置１００では、素子基板１０の端部（辺１０ｆ、１０ｇ、１０ｈ）と画像表示領域１０ａの端部とによって挟まれた領域に設けられた第１配線１１、第２配線１６および共通電位線１５のうち、配線幅寸法が広い第２配線１６は、シール材８０の内縁８１と画像表示領域１０ａの端部との間に設けられている。このため、シール材８０を光硬化させるために素子基板１０側から光を照射した際、光が第２配線１６で遮られない。また、第１配線１１および共通電位線１５は、シール材８０と重なる領域に設けられているが、第１配線１１および共通電位線１５は配線幅寸法が狭く、シール材８０と重なる領域での配線密度が低い。例えば、シール材８０と重なる領域における第１配線１１の配線密度は、４０％から６０％である。このため、シール材８０と重なる領域に第１配線１１を設けた場合でも、素子基板１０側から光を照射した際、十分な光がシール材８０に届くので、シール材８０を確実に硬化させることができる。また、第１配線１１および共通電位線１５は配線幅寸法が狭いため、光の散乱効果によって光がシール材８０に届きやすくなる。
【００５７】
また、第１配線１１および共通電位線１５がシール材８０と重なる領域に設けられているため、第１配線１１、第２配線１６および共通電位線１５のいずれをもシール材８０の内縁より内側、あるいはシール材８０の外縁より外側に設けた場合と比較して、画像表示領域１０ａの外側でシール材８０および配線（第１配線１１、第２配線１６および共通電位線１５）が占有する領域の幅寸法を縮小することができる。
【００５８】
また、本形態において、第１配線１１は、走査線駆動回路６０に信号を供給する信号線１２、１３であり、第２配線１６は、走査線駆動回路６０に電源電位を供給する電源線１７、１８であるため、配線幅寸法が広い電源線１７、１８を設けることができる。それ故、電源線１７、１８の配線抵抗を低減することができる。
【００５９】
［実施の形態２］
図４は、本発明の実施の形態２に係る電気光学装置１００の素子基板１０に形成した配線（第１配線および第２配線）等を拡大して示す説明図であり、素子基板１０の辺１０ｆ側を拡大して示してある。なお、図４でも、図３と同様、画素１００ａについては数を減らして示してあり、ダミー画素電極９ｂや容量線３ｂの図示を省略してある。また、端子５０から走査線駆動回路６０に向かう信号線については２本のみを示してある。また、本形態の基本的な構成は、実施の形態１と同様であるため、共通する部分には同一の符号を付して、それらの説明を省略する。
【００６０】
本形態でも、実施の形態１と同様、素子基板１０の端部（辺１０ｆ、１０ｇ、１０ｈ）と画像表示領域１０ａの端部とによって挟まれた領域に設けられた第１配線１１、第２配線１６および共通電位線１５のうち、配線幅寸法が広い第２配線１６は、シール材８０の内縁８１と画像表示領域１０ａの端部との間に設けられている。また、配線幅寸法が狭い第１配線１１は、シール材８０と重なる領域に設けられているが、シール材８０と重なる領域における第１配線１１の配線密度は、４０％から６０％である。このため、シール材８０と重なる領域に第１配線１１を設けた場合でも、シール材８０を硬化させることができる。
【００６１】
図４に示すように、本形態では、シール材８０と重なる領域には、第１配線１１と重ならない領域に配線密度が４０％から６０％の第３配線が設けられている。より具体的には、シール材８０と重なる共通電位線１５は、実施の形態１に比して配線幅寸法が広く、第２配線１６の配線幅寸法と同等である。但し、共通電位線１５には、複数のスリット１５ａが並列に形成されており、共通電位線１５は、配線密度が４０％から６０％の第３配線として構成されている。
【００６２】
また、本形態では、シール材８０と重なる領域には、信号の供給等に寄与しないダミー配線１９が形成されており、かかるダミー配線１９は、配線幅寸法が広く、第２配線１６の配線幅寸法と同等である。但し、ダミー配線１９には、複数のスリット１９ａが並列に形成されており、ダミー配線１９は、配線密度が４０％から６０％の第３配線として構成されている。
【００６３】
このため、本形態では、シール材８０が形成されている領域の略全体が、配線密度が４０％から６０％の領域になっている。従って、シール材８０に素子基板１０と対向基板２０との基板間隔を制御するギャップ材を含有させた場合、ギャップ材が素子基板１０側に当接する数がシール材８０の形成領域の全体にわたって同等となる。それ故、配線密度に起因する基板間隔のばらつきを緩和することができる。また、共通電位線１５の配線抵抗を低減することができる。また、かかる構成を採用した場合でも、シール材８０と重なる領域における配線密度は４０％から６０％であるため、素子基板１０側から光を照射した際、光の散乱効果等によって十分な光がシール材８０に届く。それ故、シール材８０を硬化させるのに支障がない。
【００６４】
［他の実施の形態］
上記実施の形態では、透過型の電気光学装置１００に本発明を適用した例を説明したが、反射型の電気光学装置１００に本発明を適用してもよい。また、上記実施の形態では、素子基板１０にデータ線駆動回路７０の全体が構成されていたが、例えば、サンプルホールド回路７４のみが素子基板１０に形成され、シフトレジスタ７１が、素子基板１０に接続されたフレキシブル配線基板に実装された集積回路に構成されている場合に本発明を適用してもよい。
【００６５】
［電子機器への搭載例］
（投射型表示装置および光学ユニットの構成例）
図５は、本発明を適用した投射型表示装置（電子機器）および光学ユニットの概略構成図である。図５に示す投射型表示装置１１０は、観察者側に設けられたスクリーン１１１に光を照射し、このスクリーン１１１で反射した光を観察する、いわゆる投影型の投射型表示装置である。投射型表示装置１１０は、光源１１２を備えた光源部１３０と、ダイクロイックミラー１１３、１１４と、液晶ライトバルブ１１５〜１１７と、投射光学系１１８と、クロスダイクロイックプリズム１１９（合成光学系）と、リレー系１２０とを備えている。また、投射型表示装置１１０においては、電気光学装置１００およびクロスダイクロイックプリズム１１９（光合成光学系）を備えた光学ユニット２００が用いられている。
【００６６】
光源１１２は、赤色光Ｒ、緑色光Ｇ、および青色光Ｂを含む光を供給する超高圧水銀ランプで構成されている。ダイクロイックミラー１１３は、光源１１２からの赤色光Ｒを透過させるとともに、緑色光Ｇ、および青色光Ｂを反射する構成となっている。また、ダイクロイックミラー１１４は、ダイクロイックミラー１１３で反射された緑色光Ｇおよび青色光Ｂのうち青色光Ｂを透過させるとともに緑色光Ｇを反射する構成となっている。このように、ダイクロイックミラー１１３、１１４は、光源１１２から出射した光を赤色光Ｒと緑色光Ｇと青色光Ｂとに分離する色分離光学系を構成する。
【００６７】
ここで、ダイクロイックミラー１１３と光源１１２との間には、インテグレーター１２１および偏光変換素子１２２が光源１１２から順に配置されている。インテグレーター１２１は、光源１１２から照射された光の照度分布を均一化する構成となっている。また、偏光変換素子１２２は、光源１１２からの光を、例えばｓ偏光のような特定の振動方向を有する偏光にする構成となっている。
【００６８】
液晶ライトバルブ１１５は、ダイクロイックミラー１１３を透過して反射ミラー１２３で反射した赤色光を画像信号に応じて変調する透過型の液晶装置である。液晶ライトバルブ１１５は、λ／２位相差板１１５ａ、第１偏光板１１５ｂ、電気光学装置１００（赤色用液晶パネル１００Ｒ）、および第２偏光板１１５ｄを備えている。ここで、液晶ライトバルブ１１５に入射する赤色光Ｒは、ダイクロイックミラー１１３を透過しても光の偏光は変化しないことから、ｓ偏光のままである。
【００６９】
λ／２位相差板１１５ａは、液晶ライトバルブ１１５に入射したｓ偏光をｐ偏光に変換する光学素子である。また、第１偏光板１１５ｂは、ｓ偏光を遮断してｐ偏光を透過させる偏光板である。そして、電気光学装置１００（赤色用液晶パネル１００Ｒ）は、ｐ偏光を画像信号に応じた変調によってｓ偏光（中間調であれば円偏光又は楕円偏光）に変換する構成となっている。さらに、第２偏光板１１５ｄは、ｐ偏光を遮断してｓ偏光を透過させる偏光板である。したがって、液晶ライトバルブ１１５は、画像信号に応じて赤色光Ｒを変調し、変調した赤色光Ｒをクロスダイクロイックプリズム１１９に向けて出射する構成となっている。
【００７０】
なお、λ／２位相差板１１５ａ、および第１偏光板１１５ｂは、偏光を変換させない透光性のガラス板１１５ｅに接した状態で配置されており、λ／２位相差板１１５ａ、および第１偏光板１１５ｂが発熱によって歪むのを回避することができる。
【００７１】
液晶ライトバルブ１１６は、ダイクロイックミラー１１３で反射した後にダイクロイックミラー１１４で反射した緑色光Ｇを画像信号に応じて変調する透過型の液晶装置である。かかる液晶ライトバルブ１１６は、液晶ライトバルブ１１５と同様に、第１偏光板１１６ｂ、電気光学装置１００（緑色用液晶パネル１００Ｇ）、および第２偏光板１１６ｄを備えている。液晶ライトバルブ１１６に入射する緑色光Ｇは、ダイクロイックミラー１１３、１１４で反射されて入射するｓ偏光である。第１偏光板１１６ｂは、ｐ偏光を遮断してｓ偏光を透過させる偏光板である。また、電気光学装置１００（緑色用液晶パネル１００Ｇ）は、ｓ偏光を画像信号に応じた変調によってｐ偏光（中間調であれば円偏光又は楕円偏光）に変換する構成となっている。そして、第２偏光板１１６ｄは、ｓ偏光を遮断してｐ偏光を透過させる偏光板である。したがって、液晶ライトバルブ１１６は、画像信号に応じて緑色光Ｇを変調し、変調した緑色光Ｇをクロスダイクロイックプリズム１１９に向けて出射する構成となっている。
【００７２】
液晶ライトバルブ１１７は、ダイクロイックミラー１１３で反射し、ダイクロイックミラー１１４を透過した後でリレー系１２０を経た青色光Ｂを画像信号に応じて変調する透過型の液晶装置である。かかる液晶ライトバルブ１１７は、液晶ライトバルブ１１５、１１６と同様に、λ／２位相差板１１７ａ、第１偏光板１１７ｂ、電気光学装置１００（青色用液晶パネル１００Ｂ）、および第２偏光板１１７ｄを備えている。ここで、液晶ライトバルブ１１７に入射する青色光Ｂは、ダイクロイックミラー１１３で反射してダイクロイックミラー１１４を透過した後にリレー系１２０の後述する２つの反射ミラー１２５ａ、１２５ｂで反射することから、ｓ偏光となっている。
【００７３】
λ／２位相差板１１７ａは、液晶ライトバルブ１１７に入射したｓ偏光をｐ偏光に変換する光学素子である。また、第１偏光板１１７ｂは、ｓ偏光を遮断してｐ偏光を透過させる偏光板である。そして、電気光学装置１００（青色用液晶パネル１００Ｂ）は、ｐ偏光を画像信号に応じた変調によってｓ偏光（中間調であれば円偏光又は楕円偏光）に変換する構成となっている。さらに、第２偏光板１１７ｄは、ｐ偏光を遮断してｓ偏光を透過させる偏光板である。したがって、液晶ライトバルブ１１７は、画像信号に応じて青色光Ｂを変調し、変調した青色光Ｂをクロスダイクロイックプリズム１１９に向けて出射する構成となっている。なお、λ／２位相差板１１７ａ、および第１偏光板１１７ｂは、ガラス板１１７ｅに接した状態で配置されている。
【００７４】
リレー系１２０は、リレーレンズ１２４ａ、１２４ｂと反射ミラー１２５ａ、１２５ｂとを備えている。リレーレンズ１２４ａ、１２４ｂは、青色光Ｂの光路が長いことによる光損失を防止するために設けられている。ここで、リレーレンズ１２４ａは、ダイクロイックミラー１１４と反射ミラー１２５ａとの間に配置されている。また、リレーレンズ１２４ｂは、反射ミラー１２５ａ、１２５ｂの間に配置されている。反射ミラー１２５ａは、ダイクロイックミラー１１４を透過してリレーレンズ１２４ａから出射した青色光Ｂをリレーレンズ１２４ｂに向けて反射するように配置されている。また、反射ミラー１２５ｂは、リレーレンズ１２４ｂから出射した青色光Ｂを液晶ライトバルブ１１７に向けて反射するように配置されている。
【００７５】
クロスダイクロイックプリズム１１９は、２つのダイクロイック膜１１９ａ、１１９ｂをＸ字型に直交配置した色合成光学系である。ダイクロイック膜１１９ａは青色光Ｂを反射して緑色光Ｇを透過する膜であり、ダイクロイック膜１１９ｂは赤色光Ｒを反射して緑色光Ｇを透過する膜である。従って、クロスダイクロイックプリズム１１９は、液晶ライトバルブ１１５〜１１７の各々で変調された赤色光Ｒと緑色光Ｇと青色光Ｂとを合成し、投射光学系１１８に向けて出射するように構成されている。
【００７６】
なお、液晶ライトバルブ１１５、１１７からクロスダイクロイックプリズム１１９に入射する光はｓ偏光であり、液晶ライトバルブ１１６からクロスダイクロイックプリズム１１９に入射する光はｐ偏光である。このようにクロスダイクロイックプリズム１１９に入射する光を異なる種類の偏光としていることで、クロスダイクロイックプリズム１１９において各液晶ライトバルブ１１５〜１１７から入射する光を合成できる。ここで、一般に、ダイクロイック膜１１９ａ、１１９ｂはｓ偏光の反射トランジスター特性に優れている。このため、ダイクロイック膜１１９ａ、１１９ｂで反射される赤色光Ｒ、および青色光Ｂをｓ偏光とし、ダイクロイック膜１１９ａ、１１９ｂを透過する緑色光Ｇをｐ偏光としている。投射光学系１１８は、投影レンズ（図示略）を有しており、クロスダイクロイックプリズム１１９で合成された光をスクリーン１１１に投射するように構成されている。
【００７７】
（他の投射型表示装置）
なお、投射型表示装置については、光源部として、各色の光を出射するＬＥＤ光源等を用い、かかるＬＥＤ光源から出射された色光を各々、別の液晶装置に供給するように構成してもよい。
【００７８】
（他の電子機器）
本発明を適用した電気光学装置１００については、上記の電子機器の他にも、携帯電話機、情報携帯端末（ＰＤＡ：Personal Digital Assistants）、デジタルカメラ、液晶テレビ、カーナビゲーション装置、テレビ電話、ＰＯＳ端末、タッチパネルを備えた機器等の電子機器において直視型表示装置として用いてもよい。
【００７９】
（他の電気光学装置）
また、上記実施の形態では、電気光学装置として液晶装置を例に挙げて説明したが、本発明はこれに限定されず、有機エレクトロルミネッセンス表示装置、プラズマディスプレイ、ＦＥＤ（Ｆｉｅｌｄ  Ｅｍｉｓｓｉｏｎ Ｄｉｓｐｌａｙ）、ＳＥＤ（Ｓｕｒｆａｃｅ−Ｃｏｎｄｕｃｔｉｏｎ Ｅｌｅｃｔｒｏｎ−Ｅｍｉｔｔｅｒ Ｄｉｓｐｌａｙ）、ＬＥＤ（発光ダイオード）表示装置、電気泳動表示装置等の電気光学装置に本発明を適用してもよい。
【符号の説明】
【００８０】
５・・液晶層、９ａ・・画素電極、１０・・素子基板、１０ａ・・画像表示領域、１１・・第１配線、１２、１３・・信号線、１５・・共通電位線、１６・・第２配線、１７、１８・・電源線、２０・・対向基板、２１・・共通電極、３０・・電界効果型トランジスター（画素トランジスター／スイッチング素子）、６０・・走査線駆動回路、７０・・データ線駆動回路、８０・・シール材、１００・・電気光学装置、１００ａ・・画素
【図２】
2013080036.tif 000003
【図５】
2013080036.tif 000004
【図１】
2013080036.tif 000005
【図３】
2013080036.tif 000006
【図４】
2013080036.tif 000007